(57)【要約】【課題】記事に関連する広告を付与する際の処理負担の軽減及び処理時間の短縮を図ることを目的とする。【解決手段】広告付与装置２０は、記事の分類と各分類に関連する広告の情報とが対応付けられた分類広告情報が格納された分類広告データベース３４と、広告を付与する対象記事の内容を分析し、対象記事の分類を特定する分類特定部３８と、分類広告情報及び対象記事の分類を用いて、対象記事に付与する広告の情報を決定する広告決定部３９とを備える。【選択図】図３
2019021181.tif 000002
【特許請求の範囲】
【請求項１】
記事の分類と各前記分類に関連する広告の情報とが対応付けられた分類広告情報が格納された第１記憶手段と、
広告を付与する対象記事の内容を分析し、前記対象記事の分類を特定する分類特定手段と、
前記分類広告情報及び前記対象記事の分類を用いて、前記対象記事に付与する広告の情報を決定する広告決定手段と、
を具備する広告付与装置。
【請求項２】
前記広告決定手段は、前記対象記事の分類に基づいて予め設定された条件を満たす広告の情報を前記分類広告情報から検索し、前記対象記事に付与する前記広告の情報を決定する請求項１に記載の広告付与装置。
【請求項３】
前記分類広告情報における広告の情報には、前記広告の評価値が関連付けられており、
前記広告決定手段は、前記広告の評価値を用いて前記対象記事に付与する広告を決定する請求項１または請求項２に記載の広告付与装置。
【請求項４】
前記広告の評価値は、ユーザのクリック率に関するパラメータ及び広告収益性に関するパラメータの少なくとも一つを用いて決定される請求項３に記載の広告付与装置。
【請求項５】
前記記事の分類と単語の出現傾向に関する情報とが関連付けられた分類情報を格納する第２記憶手段を有し、
前記分類特定手段は、前記対象記事に出現する単語の出現傾向と前記分類情報に登録されている単語の出現傾向との類似性から、前記対象記事の分類を特定する請求項１から請求項４のいずれかに記載の広告付与装置。
【請求項６】
広告が付与されていない複数の記事が格納された第３記憶手段と、
前記第３記憶手段に格納されている複数の記事の中から、所定の条件に基づいて、前記記事の内容に関連するレコメンド広告を付与するレコメンド記事を選択する記事選択手段と
を備え、
前記分類特定手段は、前記第３記憶手段に格納されている複数の前記記事のうち、前記レコメンド記事として選択されなかった記事を前記対象記事として、該対象記事の分類を特定する請求項１から請求項５のいずれかに記載の広告付与装置。
【請求項７】
広告が付与されていない複数の記事が格納された第３記憶手段と、
前記第３記憶手段に格納されている一部の前記記事に対して、前記記事の内容に関連するレコメンド広告を付与するレコメンド広告決定手段と、
前記レコメンド広告と前記レコメンド広告が付与された前記記事とから前記分類広告情報を作成し、前記第１記憶手段に格納する分類広告情報作成手段と
を具備する請求項１から請求項５のいずれかに記載の広告付与装置。
【請求項８】
前記第３記憶手段に格納されている複数の記事の中から、所定の条件に基づいて、前記記事の内容に関連するレコメンド広告を付与するレコメンド記事を選択する記事選択手段を備え、
前記レコメンド広告決定手段は、前記レコメンド記事に対して前記レコメンド広告を付与し、
前記分類特定手段は、前記第３記憶手段に格納されている複数の前記記事のうち、前記レコメンド記事として選択されなかった記事を前記対象記事として、該対象記事の分類を特定する請求項７に記載の広告付与装置。
【請求項９】
広告を付与する対象記事の内容を分析し、前記対象記事の分類を特定する分類特定工程と、
記事の分類と各前記分類に関連する広告の情報とが対応付けられた分類広告情報と前記対象記事の分類とを用いて、前記対象記事に付与する広告の情報を決定する広告決定工程と、
を有する広告付与方法。
【請求項１０】
広告を付与する対象記事の内容を分析し、前記対象記事の分類を特定する分類特定ステップと、
記事の分類と各前記分類に関連する広告の情報とが対応付けられた分類広告情報と前記対象記事の分類とを用いて、前記対象記事に付与する広告の情報を決定する広告決定ステップと、
をコンピュータに実行させるための広告付与プログラム。
【発明の詳細な説明】
【技術分野】
【０００１】
本発明は、広告付与装置、広告付与方法、及び広告付与プログラムに関するものである。
【背景技術】
【０００２】
近年、インターネットの急速な発展に伴い、インターネットを介した広告付与が盛んに行われている。広告付与としては、ウェブページの所定の位置に企業や商品等を表示する画像やキャッチコピーなどの広告情報を表示し、係る広告情報がクリックされた場合に広告主のウェブページへ遷移するものがある。
【０００３】
近年、広告をユーザに効果的に認知させるように工夫する技術が提案されている。例えば、特許文献１には、ユーザの趣味嗜好に合致する広告を選択してユーザに提供することが可能な端末装置が開示されている。
また、ユーザの興味を惹く広告を表示させるためには、ユーザが閲覧している記事に内容的に関連する広告（以下「レコメンド広告」という。）を提供することも効果的である。この場合、例えば、記事本文から特徴的なサーチワードを特定し、特定したサーチワードを用いて広告サーバに対して検索をかけ、サーチワードに関連する広告を決定する。
【先行技術文献】
【特許文献】
【０００４】
【特許文献１】特開２０１５−２２５６１号公報
【発明の概要】
【発明が解決しようとする課題】
【０００５】
上述のようなレコメンド広告の付与は、広告検索に時間を要するとともに、広告サーバ側の処理負担も大きいため、レコメンド広告を付与する記事には限りがある。
その一方で、新着記事は毎日発行されるため、広告を付与する対象となり得る記事は膨大な数にのぼり、なおかつ、広告には有効期間が設けられている場合があることから、一度レコメンド広告が付与された記事であっても、広告の有効期間が切れた場合には再度レコメンド広告を付与する必要がある。
【０００６】
このように、全ての記事に対して広告を付与することは不可能であるため、従来は、所定の条件に応じて優先順位を付与し、優先順位の高い記事から順にレコメンド広告を付与することとし、優先順位の低い記事についてはデフォルトの広告、例えば、クリック数の多い広告を記事の内容とは関係なく付与していた。
【０００７】
本発明は、このような事情に鑑みてなされたものであって、記事に関連する広告を付与する際の処理負担の軽減及び処理時間の短縮を図ることのできる広告付与装置、広告付与方法、及び広告付与プログラムを提供することを目的とする。
【課題を解決するための手段】
【０００８】
上記課題を解決するために、本発明は以下の手段を採用する。
本発明の第一態様は、記事の分類と各前記分類に関連する広告の情報とが対応付けられた分類広告情報が格納された第１記憶手段と、広告を付与する対象記事の内容を分析し、前記対象記事の分類を特定する分類特定手段と、前記分類広告情報及び前記対象記事の分類を用いて、前記対象記事に付与する広告の情報を決定する広告決定手段とを具備する広告付与装置である。
【０００９】
本発明の第二態様は、広告を付与する対象記事の内容を分析し、前記対象記事の分類を特定する分類特定工程と、記事の分類と各前記分類に関連する広告の情報とが対応付けられた分類広告情報と前記対象記事の分類とを用いて、前記対象記事に付与する広告の情報を決定する広告決定工程とを有する広告付与方法である。
【００１０】
本発明の第三態様は、広告を付与する対象記事の内容を分析し、前記対象記事の分類を特定する分類特定ステップと、記事の分類と各前記分類に関連する広告の情報とが対応付けられた分類広告情報と前記対象記事の分類とを用いて、前記対象記事に付与する広告の情報を決定する広告決定ステップとをコンピュータに実行させるための広告付与プログラムである。
【発明の効果】
【００１１】
本発明によれば、記事に関連する広告を付与する際の処理負担の軽減及び処理時間の短縮を図ることができるという効果を奏する。
【図面の簡単な説明】
【００１２】
【図１】本発明の一実施形態に係る広告配信システムの全体構成を示した図である。
【図２】本発明の一実施形態に係るメディアサーバ、広告主サーバ、広告配信サーバのハードウェア構成について示した図である。
【図３】本発明の一実施形態に係る広告付与装置が備える機能の一例を示した機能ブロック図である。
【図４】本発明の一実施形態に係る広告付与装置が備える分類広告情報の一例を示した図である。
【図５】本発明の一実施形態に係る広告付与装置が実行する広告付与処理の手順を示したフローチャートである。
【発明を実施するための形態】
【００１３】
以下に、本発明の一実施形態に係る広告付与装置、広告付与方法、及び広告付与プログラムについて、図面を参照して説明する。
図１は本実施形態に係る広告付与装置を有する広告配信システムの全体構成を示した図である。図１に示すように、広告配信システム１は、メディアサーバ１０、広告主（広告代理店）サーバ１１、広告配信サーバ１２を主な構成として備えている。図１において、メディアサーバ１０、広告主サーバ１１、広告配信サーバ１２は、それぞれ１台ずつ図示されているが、これらの台数は図示した態様に限定されるものではなく、適宜状況に応じて増設可能である。これらメディアサーバ１０、広告主サーバ１１、広告配信サーバ１２は、ネットワーク１５を介して互いに通信可能に接続され、同じくネットワーク１５に接続される多種多様のユーザ端末１３に対してユーザ端末１３からの閲覧請求に応じたサービス（例えば、記事や広告の配信等）を行う。ネットワーク１５の一例としてインターネット回線があげられるが、他のネットワーク回線であってもよい。
【００１４】
メディアサーバ１０は、新聞・雑誌・ラジオ放送・テレビ放送等のマスメディアが有するサーバやポータルサイトが有するサーバであり、日々さまざまな記事がアップロードされている。メディアサーバ１０は、ネットワーク１５を介してユーザ端末１３から記事の閲覧請求を受信すると、閲覧請求の対象となる記事をネットワーク１５を介してユーザ端末１３に向けて配信する。
【００１５】
広告主サーバ１１は、商品やサービスの広告をユーザ端末１３に提供するサーバである。例えば、消費者に商品、サービス等を提供する企業を一例とする法人等の広告主自身が有するサーバや、当該法人等からの要求に応じて当該法人等の商品、サービスに関する宣伝広告を行う広告代理店が有するサーバが一例として挙げられる。広告主サーバ１１は、当該法人等の商品、サービスに関するさまざまな広告を広告データベースに格納している。
【００１６】
ユーザ端末１３は、パーソナルコンピュータ、タブレット端末等のいわゆる情報処理装置であり、インターネット等の通信を行うための通信部と、ユーザが入力操作を入力するための入力部と、情報を表示させる表示部を有する。例えば、ユーザ端末１３は、ネットワーク１５を介してメディアサーバ１０にアクセスし、メディアサーバ１０にアップロードされている記事（コンテンツ）を自身が有するウェブブラウザを用いて閲覧する。また、ユーザ端末１３のウェブブラウザは、メディアサーバ１０から取得した記事、例えば、ＨＴＭＬ（ＨｙｐｅｒＴｅｘｔ  Ｍａｒｋｕｐ  Ｌａｎｇｕａｇｅ）等で記述された記事コンテンツを解釈し、解釈に従って広告配信サーバ１２に対してメディアサーバ１０から取得した記事の情報を送信するとともに広告を要求する。
【００１７】
広告配信サーバ１２は、例えば、ユーザ端末１３から記事の情報及び広告の要求を受信した場合に、この記事に付与されている広告を後述する記事広告データベース３２（図３参照）の記事広告情報から抽出し、抽出した広告をユーザ端末１３に対して送信する。これにより、例えば、ユーザ端末１３のウェブページには、ユーザによって閲覧要求された記事とともにその記事に対して付与された広告が表示される。
また、広告配信サーバ１２は、広告付与装置２０を有している。広告付与装置２０は、広告が付与されていない記事（例えば、新着記事等）に対して、その記事の内容に関連する広告を付与する装置である。なお、広告付与装置２０の詳細については後述する。広告付与装置２０によって付与された広告の情報は、記事の情報と関連付けられて広告付与装置２０が備える記事広告データベース（図３）に格納され、上述のように広告配信に利用される。
【００１８】
次に、本実施形態に係るメディアサーバ１０、広告主サーバ１１、広告配信サーバ１２のハードウェア構成について図２を参照して説明する。図２に示すように、メディアサーバ１０、広告主サーバ１１、広告配信サーバ１２は、いわゆるコンピュータシステムであり、例えば、ＣＰＵ２１と、ＣＰＵ２１が実行するプログラム等を記憶するためのＲＯＭ（Ｒｅａｄ  Ｏｎｌｙ  Ｍｅｍｏｒｙ）２２と、各プログラム実行時のワーク領域として機能するＲＡＭ（Ｒａｎｄｏｍ  Ａｃｃｅｓｓ  Ｍｅｍｏｒｙ）２３と、大容量記憶装置としてのハードディスクドライブ（ＨＤＤ）２４と、ネットワークに接続するための通信インターフェース２５、キーボードやマウス等からなる入力部２６、及びデータを表示する液晶表示装置等からなる表示部２７等をそれぞれ備えている。これら各部は、バス２８を介して接続されている。
ＣＰＵ２１が実行するプログラム等を記憶するための記憶媒体は、ＲＯＭ２２に限られず、磁気ディスク、光磁気ディスク、半導体メモリ等で構成される他の記録媒体であってもよい。
上記ＲＯＭ２２には、各種プログラムが格納されており、ＣＰＵ２１がＲＯＭ２２からＲＡＭ２３にプログラムを読み出し、実行することにより種々の機能を実現させる。
なお、メディアサーバ１０、広告主サーバ１１、広告配信サーバ１２は、表示部２７を必ずしも有している必要はない。また、メディアサーバ１０、広告主サーバ１１、広告配信サーバ１２については、入力部２６とネットワーク等で接続され、遠隔からの操作が可能な構成とされていてもよい。
【００１９】
次に、本実施形態に係る広告付与装置２０について詳しく説明する。
図３は、広告付与装置２０が備える機能の一例を示した機能ブロック図である。図３に示すように、広告付与装置２０は、例えば、記事データベース（第３記憶手段）３１、記事広告データベース３２、分類データベース（第２記憶手段）３３、分類広告データベース（第１記憶手段）３４、記事選択部３５、レコメンド広告決定部３６、分類広告情報作成部３７、分類特定部３８、広告決定部３９を主な構成として備えている。これら各部によって実現される後述の各種処理は、例えば、ＣＰＵ２１がＲＯＭ２２に記憶されている広告付与プログラムをＲＡＭ２３に読み出して実行することにより実現されるものである。
【００２０】
記事データベース３１には、広告が付与されていない複数の記事の情報が格納されている。例えば、記事データベース３１には、各メディアから日々発行される最新記事が登録、蓄積される。
記事広告データベース３２には、記事の情報とその記事に付与された広告の情報とが関連付けられた記事広告情報が格納される。
【００２１】
分類データベース３３には、記事の分類を特定するときに参照される分類情報が格納されている。記事の分類の一例として、記事に出現する単語の出現傾向から分類を特定する方法が挙げられる。例えば、多数の記事に対して形態素解析や係り受け解析などの言語解析を行うことにより記事を単語に分解し、出現した単語（特に名詞）の出現確率を統計的に求めて単語の出現傾向を得る。これにより、単語の出現傾向が類似する記事群をクラスタとして把握し、クラスタによって記事が分類される。
分類データベース３３には、例えば、各分類（説明の便宜上、例えば、ファッション、スポーツ、政治等とする）と各分類に属する記事に含まれる単語の出現傾向とが関連付けられた分類情報が格納されている。なお、記事の分類方法は、この例に限定されず、どのような指標を用いて記事を分類するかについては、公知の手法を適宜採用することが可能である。
【００２２】
上記分類は階層化されていてもよい。例えば、第１階層の分類は、「ファッション」、「スポーツ」、「政治」等のように大きな枠組みに属するであろう記事のクラスタで規定されており、「ファッション」に関する第２階層は、例えば、「男性服」、「女性服」、「子供服」等のように更に細分化された枠組みに属するであろう記事のクラスタで規定されてもよい。分類が細分化されるほど、また、多層構造化されるほど、その分類に対応付けられる広告の関連性を高くすることが期待できる。
【００２３】
分類広告データベース３４には、上述した記事の分類と後述するレコメンド広告の情報とが関連付けられた分類広告情報が格納されている。
【００２４】
記事選択部３５は、記事データベース３１に格納されている多数の記事の中から所定の条件に基づいて、レコメンド広告を付与する所定数の記事（以下、「レコメンド記事」という。）を選択する。ここで、「所定の条件」は、適宜設定することが可能であるが、例えば、記事発行から所定日数以内であること、閲覧回数が所定回数以上であること等が一例として挙げられる。
【００２５】
レコメンド広告決定部３６は、記事選択部３５によって選択されたレコメンド記事に対して、記事の内容に関連するレコメンド広告を決定する。具体的には、レコメンド広告決定部３６は、レコメンド記事の内容を分析して広告付与のためのサーチワードを特定し、特定したサーチワードを用いて広告主サーバ１１を検索し、広告主サーバ１１からサーチワードに関連する広告をレコメンド広告として取得する。なお、レコメンド広告の検索手法等については公知の技術であるので、公知の技術を適宜採用すればよい。
【００２６】
更に、レコメンド広告決定部３６は、決定したレコメンド広告の情報（例えば、レコメンド広告を特定するための識別情報等）と、そのレコメンド広告が付与されたレコメンド記事の情報（例えば、記事を特定するための識別番号、記事の内容、記事本文から抽出されたサーチワード等）とを関連付けた記事広告情報を記事広告データベース３２に格納する。
【００２７】
分類広告情報作成部３７は、レコメンド記事と該レコメンド記事に付与されたレコメンド広告の情報とから、記事の分類と広告の情報とを関連付けた分類広告情報を作成し、分類広告データベース３４に格納する。
具体的には、分類広告情報作成部３７は、レコメンド記事を分析して、レコメンド記事に出現する単語の出現傾向を得る。そして、レコメンド記事の単語の出現傾向と分類データベース３３に格納されている分類情報の各分類における単語の出現傾向とを比較し、単語の出現傾向の類似性からレコメンド記事の分類を特定する。例えば、分類広告情報作成部３７は、単語の出現傾向の類似度が最も高い分類を分類情報から検索して、レコメンド記事の分類を特定する。
次に、分類広告情報作成部３７は、特定した分類と該レコメンド記事に付与されたレコメンド広告の情報とから、記事の分類毎に広告の情報が対応付けられた分類広告情報を作成し、これを分類広告データベース３４に格納する。
これにより、分類広告データベース３４には、例えば、図４に示すように、記事の分類毎に広告の情報が登録された分類広告情報が格納される。
また、分類広告情報における広告の情報には、評価値が対応付けられている。この評価値は、例えば、広告のクリック確率に関するパラメータ及び広告収益性に関するパラメータの少なくとも一つを用いた所定の演算式を用いて演算される。
【００２８】
分類特定部３８は、記事データベース３１に格納されている多数の記事のうち、記事選択部３５によってレコメンド記事として選択されなかった記事（以下、「通常記事」という。）の分類を特定する。分類の特定方法は、上述した分類広告情報作成部３７と同様であるため、説明を省略する。
【００２９】
広告決定部３９は、通常記事に対して広告を付与する。具体的には、広告決定部３９は、分類広告データベース３４に格納されている分類広告情報と、分類特定部３８によって特定された各通常記事の分類とを用いて、各通常記事に付与する広告を決定する。
例えば、広告決定部３９は、各通常記事について、各通常記事の分類に基づいて予め設定された条件を満たす広告の情報を分類広告情報から検索し、各通常記事に付与する広告を決定する。
【００３０】
ここで、「予め設定された条件」は、設計者が適宜設定できる事項であるが、通常記事の分類と閾値以上の類似度を有する分類に関連付けられている広告が選択されるように設定することが好ましい。このようにすることで、通常記事に対して、該通常記事の掲載内容に関連する広告を容易に付与することが可能となる。
「予め設定された条件」の一例として、「通常記事の分類と同一の分類に対応付けられている広告のうち、最も評価値が高い広告」、「通常記事の分類と同一及び類似の分類に対応付けられている広告の内、最も評価値の高い広告」等が挙げられる。また、分類が階層化構造をとる場合には、どの階層レベルで一致するのかを条件として設定しておく必要がある。例えば、第２階層が指定されていた場合には、通常記事の分類が「ファッション・女性服」であれば、図４に示される分類広告情報から、「ファッション・女性服」に関連付けられている「広告Ｄ，Ｇ，Ｈ」の中から最も評価値の高い「広告Ｄ」が選択されることとなり、第１階層が指定されていた場合には、「ファッション」に関連付けられている「広告Ａ，Ｅ，Ｊ，Ｄ，Ｇ，Ｈ」の中から最も評価値の高い「広告Ａ」が選択されることとなる。また、通常記事と同一の分類でなくても、分類同士が密接な関係性を有している場合には、その密接な関係性を有する分類をも含めて、通常記事に付与する広告を検索することしてもよい。更に、同一又は類似する分類の中で所定値以上の評価値を有する広告が存在しない場合には、全ての分類の中から評価値の最も高い広告を選択することとしてもよい。
【００３１】
広告決定部３９は、このようにして通常記事に広告の情報を付与すると、決定した広告の情報（例えば、広告を特定するための識別情報等）と、その広告が付与された通常記事の情報（例えば、記事を特定するための識別番号、記事の内容、記事本文から抽出されたサーチワード等）とを関連付けた記事広告情報を記事広告データベース３２に格納する。
【００３２】
次に、本実施形態に係る広告付与装置２０によって実行される広告付与処理について、主に図５を参照して説明する。なお、以下に説明する広告付与処理は、所定のタイミング、例えば、記事データベース３１が更新されるタイミングで繰り返し行われる処理である。
【００３３】
まず、記事選択部３５によって、記事データベース３１に格納されている記事の中からレコメンド広告を付与する所定数の記事（レコメンド記事）が選択される（ＳＡ１）。続いて、レコメンド広告決定部３６によって、レコメンド記事に対してレコメンド広告が付与され（ＳＡ２）、レコメンド広告の情報とそのレコメンド広告が付与されたレコメンド記事の情報とを関連付けた記事広告情報が記事広告データベース３２に格納される（ＳＡ３）。
【００３４】
そして、全てのレコメンド記事に対してレコメンド広告が付与されると（ＳＡ４において「ＹＥＳ」）、レコメンド記事と該レコメンド記事に付与されたレコメンド広告とから記事の分類と広告の情報とを関連付けた分類広告情報が分類広告情報作成部３７によって作成され、分類広告データベース３４に格納される（ＳＡ５）。このようにして作成された分類広告情報には、レコメンド広告のユーザクリック数や収益性に応じた評価値が対応付けられ、また、これらのパラメータが更新される度に、評価値も更新されることとなる。
【００３５】
次に、レコメンド記事として選択されなかった通常記事（対象記事）の分類が分類特定部３８によって特定される（ＳＡ６）。続いて、広告決定部３９によって、その通常記事の分類と分類広告データベース３４に格納されている分類広告情報とに基づいて通常記事に広告が付与され（ＳＡ７）、その通常記事の情報と付与した広告の情報とを関連付けた記事広告情報が記事広告データベース３２に格納される（ＳＡ８）。
上記通常記事への広告の付与は、例えば、記事データベース３１に格納されている全ての通常記事について広告が付与されるまで、または、記事データベース３１が更新されるまで継続して行われる（ＳＡ９）。
【００３６】
以上、説明したように、本実施形態に係る広告付与装置、広告付与方法、及び広告付与プログラムによれば、記事の分類と広告の情報とが関連付けられた分類広告情報と、広告を付与する対象となる通常記事（対象記事）の分類とを用いて、通常記事に付与する広告を決定する。これにより、通常記事に関しては、広告付与に要する時間を大幅に短縮することができ、より多くの記事に対して広告を効率的に付与することが可能となる。
また、レコメンド記事とそのレコメンド記事に付与したレコメンド広告の情報から分類広告情報を作成することにより、記事に関連する広告の情報のみを各分類に関連づけることが可能となる。これにより、この分類広告情報を利用することで、記事の掲載内容に比較的関連性の高い広告を効率的に付与することが可能となる。
【００３７】
以上、本発明について上記実施形態を用いて説明したが、本発明の技術的範囲は上記実施形態に記載の範囲には限定されない。発明の要旨を逸脱しない範囲で上記実施形態に多様な変更又は改良を加えることができ、該変更又は改良を加えた形態も本発明の技術的範囲に含まれる。また、上記実施形態を適宜組み合わせてもよい。
また、上記実施形態では、広告付与装置における処理の手順について説明したが、これらの手順は一例であり、本発明の主旨を逸脱しない範囲内において不要な処理工程を削除したり、新たな処理工程を追加したり、処理工程を入れ替えたりしてもよい。
例えば、図５に示したフローチャートでは、全てのレコメンド記事に対してレコメンド広告が付与された後に分類広告情報を作成する場合について述べたが、これに代えて、例えば、一つのレコメンド記事に対してレコメンド広告が付与される度に分類広告情報を作成することとしてもよいし、所定数のレコメンド記事に対してレコメンド広告が付与される度に分類広告情報を作成することとしてもよい。このように、分類広告情報の作成タイミングについては適宜決めることが可能である。
【符号の説明】
【００３８】
１    広告配信システム
１０  メディアサーバ
１１  広告主サーバ
１２  広告配信サーバ
１３  ユーザ端末
１５  ネットワーク
２０  広告付与装置
３１  記事データベース（第３記憶手段）
３２  記事広告データベース
３３  分類データベース（第２記憶手段）
３４  分類広告データベース（第１記憶手段）
３５  記事選択部
３６  レコメンド広告決定部
３７  分類広告情報作成部
３８  分類特定部
３９  広告決定部
【図１】
2019021181.tif 000003
【図２】
2019021181.tif 000004
【図３】
2019021181.tif 000005
【図４】
2019021181.tif 000006
【図５】
2019021181.tif 000007